(57)【要約】【課題】便座に着座したときに感じる冷感を低減することができる、あるいは便座に着座した後にヒータの熱を着座面へより早く伝達することができる暖房便座装置を提供することを目的とする。【解決手段】便座を加熱可能な暖房便座装置であって、前記便座の基材と、前記便座を加熱するヒータと、前記基材の表面に接着される接着樹脂層と、表面樹脂層と、前記接着樹脂層と前記表面樹脂層との間に設けられた支持体により断熱空間が形成された断熱層と、を有し、前記基材の表面に一体的に設けられた積層体と、を備え、使用者が前記便座に着座すると、前記支持体が変化して前記接着樹脂層と前記表面樹脂層との間の距離が小さくなることを特徴とする暖房便座装置が提供される。【選択図】図３
2011067513.tif 000002
【特許請求の範囲】
【請求項１】
便座を加熱可能な暖房便座装置であって、
前記便座の基材と、
前記便座を加熱するヒータと、
前記基材の表面に接着される接着樹脂層と、表面樹脂層と、前記接着樹脂層と前記表面樹脂層との間に設けられた支持体により断熱空間が形成された断熱層と、を有し、前記基材の表面に一体的に設けられた積層体と、
を備え、
使用者が前記便座に着座すると、前記支持体が変化して前記接着樹脂層と前記表面樹脂層との間の距離が小さくなることを特徴とする暖房便座装置。
【請求項２】
前記積層体は、前記接着樹脂層と前記表面樹脂層との間の距離が小さくなる部分の前記断熱空間内の気体を他の部分へ逃がすことができる連通部を有し、
使用者が前記便座に着座すると、前記着座した領域にかかる断熱空間の気体は、前記連通部を介して前記着座した領域にかからない断熱空間へ逃げることを特徴とする請求項１記載の暖房便座装置。
【請求項３】
前記支持体は、前記接着樹脂層および前記表面樹脂層の少なくともいずれか一方に対して予め傾斜して設けられたことを特徴とする請求項２記載の暖房便座装置。
【請求項４】
前記支持体は、前記便座の外周側へ向かって傾斜し、
使用者が前記便座に着座すると、前記着座した領域にかかる断熱空間の気体は、前記便座の外周側にかかる断熱空間へ逃げることを特徴とする請求項３記載の暖房便座装置。
【請求項５】
前記便座の外周側における前記支持体は、前記着座した領域にかかる前記支持体よりも高い延伸性を有することを特徴とする請求項２〜４のいずれか１つに記載の暖房便座装置。
【発明の詳細な説明】
【技術分野】
【０００１】
本発明の態様は、一般的に、暖房便座装置に関し、具体的には便器に設けられる便座を暖めることができる暖房便座装置に関する。
【背景技術】
【０００２】
使用者が大便器を使用する際に着座する便座としては、加工が容易なことなどから、ＰＰ（ポリプロピレン）やＡＢＳ（アクリロニトリル・ブタジエン・スチレン）などの樹脂材料で形成されたものが数多く普及している。これら樹脂材料で形成された便座は、特に冬場などの気温が低いときに、着座した際に使用者に冷感を与えることがある。これに対して、待機時（便座の不使用時）であっても、ヒータにより着座面を加熱して適温に保温し、使用に備える便座が知られている。便座の加熱には、待機時においても使用時と同程度の電力を消費する場合が多い。このため、省エネルギーの観点から、便座の加熱に要する電力の削減が社会的に求められている。
【０００３】
待機時の使用電力を削減するためには、使用者が便座に着座したときに感じる冷感を低減することが有効である。そこで、着座したときの冷感を低減するために、ポリオレフィン系の熱可塑性エラストマーからなり内部に微細気泡を均一に分散させた座面部材を、頂面に設けたものが知られている（特許文献１）。また、着座したときの温感効果を発揮するために、便座本体の表面に凹凸を設け、さらに表面に断熱用塗料（ガラスバルーン等の気泡が混入）を塗布した便座が知られている（特許文献２）。
【０００４】
しかしながら、特許文献１および２に記載された便座は、着座したときの冷感を低減することはできるが、一方で、使用者は、便座に着座した後でもヒータの熱を感じにくいという問題がある。
【先行技術文献】
【特許文献】
【０００５】
【特許文献１】実開平７−１４９９７号公報
【特許文献２】特開２００６−１０２２８５号公報
【発明の概要】
【発明が解決しようとする課題】
【０００６】
本発明は、かかる課題の認識に基づいてなされたものであり、便座に着座したときに感じる冷感を低減することができる、あるいは便座に着座した後にヒータの熱を着座面へより早く伝達することができる暖房便座装置を提供することを目的とする。
【課題を解決するための手段】
【０００７】
第１の発明は、便座を加熱可能な暖房便座装置であって、前記便座の基材と、前記便座を加熱するヒータと、前記基材の表面に接着される接着樹脂層と、表面樹脂層と、前記接着樹脂層と前記表面樹脂層との間に設けられた支持体により断熱空間が形成された断熱層と、を有し、前記基材の表面に一体的に設けられた積層体と、を備え、使用者が前記便座に着座すると、前記支持体が変化して前記接着樹脂層と前記表面樹脂層との間の距離が小さくなることを特徴とする暖房便座装置である。
【０００８】
この衛生洗浄装置によれば、便座の基材の表面には積層体が一体的に設けられ、その積層体は、使用者が着座する面（着座面）の下方に断熱層を有する。断熱層は、便座に着座した使用者からの熱移動を抑制することができる。これにより、便座の待機温度が比較的低い温度に設定された場合でも、使用者が便座に着座したときに感じる冷感を低減することができる。また、使用者が便座に着座すると、支持体が変形することにより、接着樹脂層と表面樹脂層との間の距離が小さくなる。これによれば、使用者が便座に着座すると、ヒータの熱は着座面へ伝わりやすくなるため、着座面の加熱は促進される。すなわち、使用者が便座に着座した後に、ヒータの熱を着座面へより早く伝達することができる。
【０００９】
また、第２の発明は、第１の発明において、前記積層体は、前記接着樹脂層と前記表面樹脂層との間の距離が小さくなる部分の前記断熱空間内の気体を他の部分へ逃がすことができる連通部を有し、使用者が前記便座に着座すると、前記着座した領域にかかる断熱空間の気体は、前記連通部を介して前記着座した領域にかからない断熱空間へ逃げることを特徴とする暖房便座装置である。
【００１０】
この衛生洗浄装置によれば、着座した領域にかかる断熱空間の気体は、連通部を介して着座した領域にかからない他の断熱空間へ逃げることができる。そのため、着座した領域にかかる支持体は潰れるまで変形し、その領域にかかる接着樹脂層と表面樹脂層とは互いに接触することができる。そのため、ヒータの熱は着座面へより伝わりやすくなるため、着座面の加熱はより促進される。すなわち、使用者が便座に着座した後に、ヒータの熱を着座面へより早く伝達することができる。
【００１１】
また、第３の発明は、第２の発明において、前記支持体は、前記接着樹脂層および前記表面樹脂層の少なくともいずれか一方に対して予め傾斜して設けられたことを特徴とする暖房便座装置である。
【００１２】
この暖房便座装置によれば、支持体は、接着樹脂層および表面樹脂層の少なくともいずれか一方からみたときに予め傾斜しているため、使用者が便座に着座すると、支持体は、予め傾斜した方向へスムーズに倒れるように変形する。そのため、使用者が便座に着座したときに違和感を感ずるおそれは少ない。つまり、便座への座り心地が損なわれることを防止することができる。また、着座した領域にかかる接着樹脂層と表面樹脂層とは互いに接触することができるため、ヒータの熱は着座面へより伝わりやすくなる。そのため、着座面の加熱はより促進される。すなわち、使用者が便座に着座した後に、ヒータの熱を着座面へより早く伝達することができる。
【００１３】
また、第４の発明は、第３の発明において、前記支持体は、前記便座の外周側へ向かって傾斜し、使用者が前記便座に着座すると、前記着座した領域にかかる断熱空間の気体は、前記便座の外周側にかかる断熱空間へ逃げることを特徴とする暖房便座装置である。
【００１４】
この暖房便座装置によれば、支持体は便座の外周側へ向かって傾斜しているため、着座した領域にかかる断熱空間のほとんどの気体は、連通部を介して便座の外周側へ逃げる。そうすると、便座の外周側に設けられた支持体は、接着樹脂層および表面樹脂層からみたときに略垂直となるように倒立する。その結果、便座の外周側の断熱空間は膨らむ。使用者の臀部が便座の外周側の着座面に触れることは稀であるため、便座の外周側の断熱空間が膨らむことによりその部分の熱伝達性が低下しても、便座への座り心地が損なわれるおそれは少ない。
【００１５】
また、着座した領域にかかる接着樹脂層と表面樹脂層とは互いに接触することができるため、ヒータの熱は着座面へより伝わりやすくなる。そのため、着座面の加熱はより促進される。すなわち、使用者が便座に着座した後に、ヒータの熱を着座面へより早く伝達することができる。
【００１６】
また、第５の発明は、第２〜第４のいずれか１つの発明において、前記便座の外周側における前記支持体は、前記着座した領域にかかる前記支持体よりも高い延伸性を有することを特徴とする暖房便座装置である。
【００１７】
この暖房便座装置によれば、便座の外周側における断熱空間の支持体は、着座した領域にかかる断熱空間の支持体よりも高い延伸性を有するため、接着樹脂層および表面樹脂層からみたときに略垂直となるように倒立しつつ、便座の外周側へ向かって延伸する。その結果、便座の外周側の断熱空間は、支持体が延伸性を有しない場合よりも大きく膨らむ。
【００１８】
つまり、便座の外周側における断熱空間の支持体は延伸性を有するため、使用者が便座に着座すると、着座した領域にかかる断熱空間内の空気は、支持体が延伸性を有しない場合よりも連通部を介して便座の外周側へ逃げやすい。そのため、使用者が便座に着座すると、支持体は、予め傾斜した方向へよりスムーズに倒れるように変形する。したがって、使用者が便座に着座したときに違和感を感ずることをより防止することができる。つまり、便座への座り心地が損なわれることをより防止することができる。また、使用者の臀部が便座の外周側の着座面に触れることは稀であるため、便座の外周側の断熱空間は膨らむことによりその部分の熱伝達性が低下しても、便座への座り心地が損なわれるおそれは少ない。
【００１９】
また、着座した領域にかかる接着樹脂層と表面樹脂層とは互いに接触することができるため、ヒータの熱は着座面へより伝わりやすくなる。そのため、着座面の加熱はより促進される。すなわち、使用者が便座に着座した後に、ヒータの熱を着座面へより早く伝達することができる。
【発明の効果】
【００２０】
本発明の態様によれば、便座に着座したときに感じる冷感を低減することができる、あるいは便座に着座した後にヒータの熱を着座面へより早く伝達することができる暖房便座装置が提供される。
【図面の簡単な説明】
【００２１】
【図１】本実施形態に係る暖房便座装置が設けられたトイレ装置を表す斜視模式図である。
【図２】本実施形態の便座の内部を表す断面模式図、および便座の着座面を拡大して表した断面模式図である。
【図３】便座の着座面を拡大して表した断面模式図である。
【図４】本実施形態の積層体を例示する斜視模式図である。
【図５】本実施形態の他の積層体を例示する斜視模式図である。
【図６】本実施形態の変形例にかかる便座の内部を表す断面模式図、および便座の着座面を拡大して表した断面模式図である。
【図７】本変形例にかかる便座を表す断面模式図である。
【図８】他の変形例にかかる便座を表す断面模式図である。
【図９】本実施形態のさらに他の変形例にかかる便座の内部を表す断面模式図、および便座の着座面を拡大して表した断面模式図である。
【図１０】本実施形態のさらに他の変形例にかかる便座の内部を表す断面模式図、および便座の着座面を拡大して表した断面模式図である。
【発明を実施するための形態】
【００２２】
以下、本発明の実施の形態について図面を参照しつつ説明する。なお、各図面中、同様の構成要素には同一の符号を付して詳細な説明は適宜省略する。  
図１は、本実施形態に係る暖房便座装置が設けられたトイレ装置を表す斜視模式図である。
【００２３】
本実施形態にかかる暖房便座装置１００は、図１に表したように、腰掛便器２００の後部に載置された本体部１１０を有する。本実施形態のトイレ装置１０は「水道直圧式」であり、腰掛便器２００に流す水を制御するためのバルブ機構が本体部１１０内に収納されている。ただし、本発明は「水道直圧式」には限定されず、いわゆる「ロータンク式」のトイレ装置にも同様に適用できる。
【００２４】
本体部１１０の左右側方には、便蓋１２０及び便座１３０がそれぞれ回動自在に軸支されている。便蓋１２０は本体部１１０の相対的に後方に設けられた駆動軸により軸支され、一方、便座１３０は本体部１１０の相対的に前方に設けられた駆動軸により軸支されている。便座１３０は、後に詳述するように、ヒータを内蔵する。ヒータは、通電されて発熱することにより、便座１３０の着座面を暖めることができる。
【００２５】
なお、本体部１１０は、衛生洗浄装置としての機能部を併設してもよい。すなわち、本体部１１０は、便座１３０に座った使用者の「おしり」などに向けて水を噴出する図示しない吐水ノズルを有する衛生洗浄機能部などを適宜備えてもよい。なお、本願明細書において「水」という場合には、冷水のみならず、加熱されたお湯も含むものとする。
【００２６】
またさらに、本体部１１０には、便座１３０に座った使用者の「おしり」などに向けて温風を吹き付けて乾燥させる「温風乾燥機能」や「脱臭ユニット」や「室内暖房ユニット」などの各種の機構が適宜設けられていてもよい。ただし、本発明においては、衛生洗浄機能部やその他の付加機能部は必ずしも設けなくてもよい。
【００２７】
図２は、本実施形態の便座の内部を表す断面模式図、および便座の着座面を拡大して表した断面模式図である。  
なお、図２は、図１に表したＡ−Ａ切断面における断面模式図である。
【００２８】
便座１３０は、図２に表したように、例えばＰＰ（ポリプロピレン）により形成された底板１３１と上板（基材）１３２とを溶着することにより組み立てられている。なお、上板（基材）１３２は、ＰＰなどの比較的硬い材料ではなく、圧縮変形性あるいは弾力性（クッション性）を有する材料により形成されていてもよい。底板１３１は、表面が平坦に近い形状を有し、一方、上板１３２は、上方に向けて凸となる湾曲形状を有する。この底板１３１と上板１３２とが、それぞれの両端で溶着されて一体とされることで、便座１３０の内部は中空となっている。そして、上板１３２の上面のうちで、使用者が着座する部分すなわち使用者の臀部及び大腿部が接触する部分は、便座１３０の着座面１３０ａとなる。
【００２９】
上板１３２の内側には、加熱源であるヒータ１４０が設けられている。ヒータ１４０は、通電により発熱して便座１３０の着座面１３０ａを加熱することが可能であり、着座面１３０ａの温度を使用者が設定する所望の値まで上昇させることができる。
【００３０】
上板（基材）１３２の表面には積層体１５０が一体的に設けられ、その積層体１５０は、例えばＰＰにより形成された上板１３２の上に複数の層を有する。すなわち、積層体１５０は、上板１３２の表面に接着される接着樹脂層１５１と、表面樹脂層１５３と、接着樹脂層１５１と表面樹脂層１５３との間に設けられ断熱空間が形成された断熱層１５２と、を有する。
【００３１】
なお、表面樹脂層１５３の上には、着座面１３０ａとしての図示しない表皮層が積層されてもよい。すなわち、表面樹脂層１５３の上に図示しない表皮層が積層された場合には、その図示しない表皮層が着座面１３０ａを形成する。
【００３２】
接着樹脂層１５１は数十μｍ程度の厚みＨ１を有し、断熱層１５２を上板１３２の表面に接着する機能を有する。接着樹脂層１５１は、例えば、上板１３２よりも融点が５℃以上低い低融点ＰＰフィルムにより形成されている。
【００３３】
断熱層１５２は、接着樹脂層１５１と表面樹脂層１５３との間に設けられた支持体１５２ａ、すなわち接着樹脂層１５１の上方に設けられた支持体１５２ａにより確保された断熱空間１５２ｂを有する。この断熱層１５２の厚みＨ２は、数百μｍ程度に設定される。
【００３４】
表面樹脂層１５３は、ＰＥＴ（ポリエチレンテレフタレート）フィルムや、塩化ビニルフィルムなどにより形成される。表面樹脂層１５３は、断熱層１５２の上方を閉塞し、断熱層１５２の内部に空気を封入する。表面樹脂層１５３の厚みＨ３は、数十μｍ程度と、非常に薄く設定されている。なお、使用者が便座１３０に着座したときに感じる冷感を低減することを考慮すると、表面樹脂層１５３の厚みＨ３は、大きくとも１００μｍ未満であることが好ましい。
【００３５】
以上のように構成される積層体１５０を、フィルムインサート成形などの方法によって便座１３０の上板１３２に一体化させることで、表面が多層構造となる本実施形態のような便座１３０であっても、高い量産性を得ることができる。すなわち、上板１３２の上面に対して、接着樹脂層１５１、断熱層１５２、表面樹脂層１５３の各層を工程別に積層していく必要が無く、別に用意された積層体１５０とのフィルムインサート成形により、一度で便座１３０の着座面１３０ａを多層構造とすることができる。積層体１５０は、便座１３０の表面全体に設ける必要は無く、少なくとも使用者が着座する着座面１３０ａに対応する範囲に亘って断熱空間１５２ｂが並設されるよう、範囲は適宜選択すればよい。
【００３６】
ここで、使用者が着座面１３０ａに着座すると、使用者の臀部から便座１３０の表面樹脂層１５３へ熱が伝達され、さらに表面樹脂層１５３内で熱伝導が生じる。このときの熱の移動が急速なものであると、使用者は強い冷感を感じてしまうこととなる。これに対して、本実施形態にかかる暖房便座装置１００では、表面樹脂層１５３は、その厚みＨ３が数十μｍ程度と、非常に薄く形成されている。したがって、表面樹脂層１５３の熱容量は比較的小さく、表面樹脂層１５３の温度は、当接する使用者の臀部から伝達される熱によって比較的速やかに上昇する。そのため、その後の熱の移動はしだいに緩やかなものとなり、使用者が便座１３０に着座したときに感じる冷感を低減することができる。
【００３７】
また、表面樹脂層１５３の下方には、断熱空間１５２ｂを有する断熱層１５２が設けられている。したがって、使用者の臀部から熱を伝達されて温度が上昇した表面樹脂層１５３から、断熱空間１５２ｂ内の空気へと熱が伝達され、その空気を媒体として熱伝導が生じる。また、これとともに、輻射による熱の伝達が生ずる。
【００３８】
空気の熱伝導率は、表面樹脂層１５３を形成するＰＥＴや、塩化ビニルなどや、上板１３２の基材となるＰＰなどの材料に比べて極端に低い。したがって、断熱層１５２を表面樹脂層１５３の下方に設けることによって、表面樹脂層１５３から下方への熱移動が抑制され、接着樹脂層１５１内の熱伝導も抑制される。これにより、結果的に使用者の臀部からの熱移動が抑制され、使用者が便座１３０に着座したときに感じる冷感を低減することができる。
【００３９】
さらに、表面樹脂層１５３は、断熱層１５２の上方を閉塞し、断熱層１５２の内部に空気を封入している。そのため、空気が断熱層１５２の内部から外部に漏出することはない。より具体的には、断熱空間１５２ｂ内の空気は、隣接する断熱空間１５２ｂへ移動することはできるが、接着樹脂層１５１と表面樹脂層１５３との間、すなわち断熱層１５２の内部から外部に漏出することはできない。
【００４０】
したがって、伝達された熱によって各断熱空間１５２ｂ内の空気は効率良く温度上昇し、空気内の熱伝導がさらに鈍化する。そして、このようにして各断熱空間１５２ｂの中で加熱された空気は、逃げることなく断熱層１５２の中に滞留するので、熱の拡散も抑制される。したがって、待機時（便座の不使用時）に保たれる便座の目標温度を下げ、便座１３０の加熱及び保温のためにヒータ１４０が消費する電力も削減することができる。
【００４１】
なお、本実施形態では断熱層１５２に空気を封入しているが、封入される気体は空気に限られない。例えば、空気より熱伝導率が低いアルゴンなどの気体を用いることにより、熱の移動をさらに抑制し、断熱層１５２による断熱効果をさらに向上させることもできる。
【００４２】
以上説明したように、本実施形態にかかる暖房便座装置１００の便座１３０は、使用者が便座１３０に着座したときに感じる冷感を低減することができる。しかしながら、積層体１５０における熱移動が抑制されるため、このままでは、使用者は、便座１３０に着座した後でもヒータ１４０の熱を感じにくい場合がある。また、使用者が温度不足を感じて便座１３０の設定温度を昇温させても、積層体１５０は高い断熱性を有するため、着座面１３０ａの温度応答性は低い。そのため、着座面１３０ａが昇温するまでに時間がかかる場合がある。また、積層体１５０は、高い断熱性を有する一方で低い比熱を有するため、使用者が着座した領域は、使用者の体温に近い温度となり、一方で、使用者が着座していない領域は、比較的早く室温に近づいてしまう。そのため、使用者は、座り直した際に冷感を感ずる場合がある。
【００４３】
これに対して、本実施形態にかかる暖房便座装置１００では、使用者が便座１３０に着座すると、支持体１５２ａが変化することにより、接着樹脂層１５１と表面樹脂層１５３との間の距離が小さくなる。ここで、支持体１５２ａが変化するとは、支持体１５２ａにおいて座屈や傾倒などの変形及び変位の少なくともいずれかが生ずることをいう。これによれば、使用者が便座１３０に着座すると、ヒータ１４０の熱は着座面１３０ａへ伝わりやすくなるため、着座面１３０ａの加熱は促進される。すなわち、本実施形態にかかる暖房便座装置１００の便座１３０は、使用者が便座１３０に着座した後に、ヒータ１４０の熱を着座面１３０ａへより早く伝達することができる。これにより、便座１３０に着座した使用者は、ヒータ１４０の熱をより早く感じることができる。以下、積層体１５０の構造および作用効果などについて、図面を参照しつつさらに詳細に説明する。
【００４４】
図３は、便座の着座面を拡大して表した断面模式図である。  
また、図４は、本実施形態の積層体を例示する斜視模式図である。  
また、図５は、本実施形態の他の積層体を例示する斜視模式図である。  
なお、図３は、図１に表したＡ−Ａ切断面における断面模式図である。また、図３（ａ）は、使用者が便座に着座する前の状態を表す断面模式図であり、図３（ｂ）は、使用者が便座に着座した後の状態を表す断面模式図である。
【００４５】
図２に関して前述したように、断熱層１５２は、接着樹脂層１５１と表面樹脂層１５３との間に設けられた支持体１５２ａにより確保された断熱空間１５２ｂを有する。そして、使用者が便座１３０に着座すると、支持体１５２ａは、図３（ｂ）に表したように変化する。より具体的には、支持体１５２ａは、使用者の臀部３００の重みにより押し倒される。
【００４６】
ここで、断熱層１５２の支持体１５２ａは、図４に表したように、壁面ではなく支柱のような形状を有する。そのため、断熱空間１５２ｂは、密閉された空間として形成されているわけではなく、断熱空間１５２ｂ内の空気を他の断熱空間１５２ｂへ逃がすことができる。つまり、積層体１５０の断熱層１５２は、断熱空間１５２ｂ内の空気を他の断熱空間１５２ｂへ逃がすことができる連通部１５２ｃを有する。
【００４７】
あるいは、断熱層１５２の支持体１５２ａは、図５に表したように、隣接する支柱を連結し互いに交差する構造、いわゆる「筋交い構造」を少なくとも一部に有していてもよい。この場合でも、積層体１５０の断熱層１５２は、断熱空間１５２ｂ内の空気を他の断熱空間１５２ｂへ逃がすことができる連通部１５２ｃを有する。
【００４８】
なお、図４および図５に例示した積層体１５０の連通部１５２ｃは、支持体１５２ａが変化しなくとも開口しており、断熱空間１５２ｂ内の空気を他の断熱空間１５２ｂへ逃がすことができるが、これだけに限定されるわけではない。例えば、連通部１５２ｃは、支持体１５２ａが変化する前には閉口しており、支持体１５２ａが変化することにより開口し、断熱空間１５２ｂ内の空気を他の断熱空間１５２ｂへ逃がすことができる構造を有していてもよい。
【００４９】
このように、使用者が便座１３０に着座すると、支持体１５２ａは変化し、使用者が着座した領域の断熱空間１５２ｂ内の空気は、連通部１５２ｃを介して他の断熱空間１５２ｂへ逃げる。その結果、接着樹脂層１５１と表面樹脂層１５３との間の距離は、図３（ｂ）に表したように小さくなる。より具体的には、使用者が着座した領域における接着樹脂層１５１と表面樹脂層１５３とは、互いに接触する。
【００５０】
そのため、使用者が着座した領域のヒータ１４０の熱は、着座面１３０ａへ伝わりやすくなる。したがって、使用者が着座した領域では、ヒータ１４０の熱はより効率よく着座面１３０ａへ伝達され、着座面１３０ａの加熱は促進される。すなわち、本実施形態にかかる暖房便座装置１００の便座１３０は、使用者が便座１３０に着座した後に、ヒータ１４０の熱を着座面１３０ａへより早く伝達することができる。これにより、便座１３０に着座した使用者は、ヒータ１４０の熱をより早く感じることができる。さらに、使用者が便座１３０に着座したときに感じる冷感を低減することができる。
【００５１】
また、使用者が座り直した場合でも、座り直した後に着座した領域において、接着樹脂層１５１と表面樹脂層１５３との間の距離は小さくなり、接着樹脂層１５１と表面樹脂層１５３とは互いに接触する。そのため、使用者が座り直した場合でも、同様の効果が得られる。つまり、本実施形態にかかる暖房便座装置１００の便座１３０は、使用者が座り直した後に、ヒータ１４０の熱を着座面１３０ａへより早く伝達することができ、また、使用者が便座１３０に座り直したときに感じる冷感を低減することができる。
【００５２】
図６は、本実施形態の変形例にかかる便座の内部を表す断面模式図、および便座の着座面を拡大して表した断面模式図である。  
なお、図６は、図１に表したＡ−Ａ切断面における断面模式図である。
【００５３】
本変形例にかかる便座１３０では、接着樹脂層１５１と表面樹脂層１５３との間に設けられた支持体１５２ａは、接着樹脂層１５１および表面樹脂層１５３の少なくともいずれか一方に対して予め傾斜している。つまり、図２に表した便座１３０では、支持体１５２ａは、接着樹脂層１５１および表面樹脂層１５３からみたときに略垂直となるように設けられている。これに対して、本変形例にかかる便座１３０では、支持体１５２ａは、接着樹脂層１５１および表面樹脂層１５３の少なくともいずれか一方からみたときに傾斜するように設けられている。その他の構造については、図２〜図５に関して前述した便座１３０の構造と同様である。
【００５４】
図７は、本変形例にかかる便座を表す断面模式図である。  
なお、図７は、図１に表したＡ−Ａ切断面における断面模式図である。また、図７（ａ）は、使用者が便座に着座する前の状態を表す断面模式図であり、図７（ｂ）は、使用者が便座に着座した後の状態を表す断面模式図である。
【００５５】
本変形例にかかる便座１３０では、図６に関して前述したように、接着樹脂層１５１と表面樹脂層１５３との間に設けられた支持体１５２ａは、接着樹脂層１５１および表面樹脂層１５３の少なくともいずれか一方に対して予め傾斜している。そのため、使用者が便座１３０に着座すると、使用者が着座した領域の支持体１５２ａは、図７（ｂ）に表したように、予め傾斜した方向へスムーズに倒れるように変化する。つまり、使用者が着座した領域の断熱空間１５２ｂ内の空気は、断熱層１５２の内部から外部に漏出することはなく、連通部１５２ｃを介して便座１３０の外周側へ逃げて集まる。
【００５６】
このとき、本変形例にかかる便座１３０のように、支持体１５２ａが接着樹脂層１５１からみたときに便座１３０の外周側へ傾斜して設けられている場合には、使用者が着座した領域の断熱空間１５２ｂ内のほとんどの空気は、連通部１５２ｃを介して便座１３０の外周側へ逃げる。そして、使用者が着座した領域の断熱空間１５２ｂ内のほとんどの空気が連通部１５２ｃを介して便座１３０の外周側へ逃げると、便座１３０の外周側に設けられた支持体１５２ａは、接着樹脂層１５１および表面樹脂層１５３からみたときに略垂直となるように倒立する。その結果、便座１３０の外周側の断熱空間１５２ｂは膨らむ。
【００５７】
本変形例によれば、使用者が便座１３０に着座すると、使用者が着座した領域の支持体１５２ａは、予め傾斜した方向へスムーズに倒れるように変化するため、使用者が便座１３０に着座したときに違和感を感ずるおそれは少ない。つまり、便座１３０への座り心地が損なわれることを防止することができる。また、使用者の臀部３００が便座１３０の外周側の着座面１３０ａに触れることは稀であるため、便座１３０の外周側の断熱空間１５２ｂが膨らむことによりその部分の熱伝達性が低下しても、便座１３０への座り心地が損なわれるおそれは少ない。
【００５８】
また、支持体１５２ａが予め傾斜した方向へスムーズに倒れるように変化することにより、使用者が着座した領域の接着樹脂層１５１と表面樹脂層１５３との間の距離は小さくなり、接着樹脂層１５１と表面樹脂層１５３とは互いに接触する。そのため、図３〜図５に関して前述した効果と同様の効果が得られる。
【００５９】
図８は、他の変形例にかかる便座を表す断面模式図である。  
なお、図８は、図１に表したＡ−Ａ切断面における断面模式図である。また、図８（ａ）は、使用者が便座に着座する前の状態を表す断面模式図であり、図８（ｂ）は、使用者が便座に着座した後の状態を表す断面模式図である。
【００６０】
本変形例にかかる便座１３０では、図６に関して前述したように、接着樹脂層１５１と表面樹脂層１５３との間に設けられた支持体１５２ａは、接着樹脂層１５１および表面樹脂層１５３の少なくともいずれか一方に対して予め傾斜している。また、本変形例の支持体１５２ａは、延伸性を有する。このとき、全ての支持体１５２ａが延伸性を有していてもよいし、便座１３０の外周側に設けられた支持体１５２ａが、使用者が着座する領域に設けられた支持体１５２ａよりも高い延伸性を有していてもよい。すなわち、本変形例にかかる便座１３０では、便座１３０の少なくとも外周側に設けられた支持体１５２ａは、他の領域に設けられた支持体１５２ａと同等以上の延伸性を有する。その他の構造については、図６および図７に関して前述した便座１３０の構造と同様である。
【００６１】
本変形例では、使用者が便座１３０に着座すると、便座１３０の外周側に設けられた支持体１５２ａは、図８（ｂ）に表したように、接着樹脂層１５１および表面樹脂層１５３からみたときに略垂直となるように倒立しつつ、便座１３０の外周側へ向かって延伸する。その結果、便座１３０の外周側の断熱空間１５２ｂは、支持体１５２ａが延伸性を有しない場合よりも大きく膨らむ。
【００６２】
なお、本願明細書において、「支持体１５２ａが延伸性を有する場合」とは、支持体１５２ａの材料が延伸性を有する場合だけではなく、支持体１５２ａの形状あるいは構造が延伸性を有する場合を含むものとする。より具体的には、支持体１５２ａが、例えばゴムなどの延伸性を有する材料により形成されている場合は、「支持体１５２ａの材料が延伸性を有する場合」に含まれる。一方で、支持体１５２ａが、例えば「編み物」や「ばね」などのように材料自体が延伸するわけではないが、支持体１５２ａが有する形状や構造により支持体１５２ａが全体として延伸性を有する場合は、「支持体１５２ａの形状あるいは構造が延伸性を有する場合」に含まれる。
【００６３】
本変形例によれば、支持体１５２ａは延伸性を有するため、使用者が便座１３０に着座すると、使用者が着座した領域の断熱空間１５２ｂ内の空気は、支持体１５２ａが延伸性を有しない場合よりも連通部１５２ｃを介して便座１３０の外周側へ逃げやすい。そのため、使用者が便座１３０に着座すると、使用者が着座した領域の支持体１５２ａは、予め傾斜した方向へよりスムーズに倒れるように変化する。したがって、使用者が便座１３０に着座したときに違和感を感ずることをより防止することができる。つまり、便座１３０への座り心地が損なわれることをより防止することができる。また、使用者の臀部３００が便座１３０の外周側の着座面１３０ａに触れることは稀であるため、便座１３０の外周側の断熱空間１５２ｂは膨らむことによりその部分の熱伝達性が低下しても、便座１３０への座り心地が損なわれるおそれは少ない。
【００６４】
また、図７に表した変形例と同様に、使用者が着座した領域の支持体１５２ａが予め傾斜した方向へスムーズに倒れるように変化することにより、使用者が着座した領域の接着樹脂層１５１と表面樹脂層１５３との間の距離は小さくなり、接着樹脂層１５１と表面樹脂層１５３とは互いに接触する。そのため、図３〜図５に関して前述した効果と同様の効果が得られる。
【００６５】
図９は、本実施形態のさらに他の変形例にかかる便座の内部を表す断面模式図、および便座の着座面を拡大して表した断面模式図である。  
なお、図９は、図１に表したＡ−Ａ切断面における断面模式図である。
【００６６】
本変形例では、断熱層１５２の断熱空間１５２ｂ内の底面（接着樹脂層１５１の上面）に、加飾層１５４が設けられている。加飾層１５４は例えば塗料により形成され、その厚みＨ４は数μｍ程度である。加飾層１５４は、便座１３０表面の装飾のために設けられたものである。加飾層１５４に使用される塗料としては、光沢感を出すためにラメを入れたものなど、種々のものが挙げられる。
【００６７】
加飾層１５４の上方は表面樹脂層１５３’で覆われるが、表面樹脂層１５３’は、その厚みＨ５が数十μｍ程度と薄く光透過性を有する。このため、加飾層１５４による装飾は、表面樹脂層１５３’を通して便座１３０の表面に表れ、装飾性を発揮させることができる。さらに、加飾層１５４は表面樹脂層１５３’で覆われることで保護されるため、物理的あるいは化学的な劣化が抑制され、装飾が長期間保持される。
【００６８】
本変形例によれば、便座１３０の装飾性を発揮しつつ、使用者が便座１３０に着座したときに感じる冷感を低減することができる。また、便座１３０の装飾性を発揮しつつ、使用者が便座１３０に着座した後に、ヒータ１４０の熱を着座面１３０ａへより早く伝達することができる。
【００６９】
図１０は、本実施形態のさらに他の変形例にかかる便座の内部を表す断面模式図、および便座の着座面を拡大して表した断面模式図である。  
なお、図１０は、図１に表したＡ−Ａ切断面における断面模式図である。
【００７０】
本変形例では、断熱層１５２の断熱空間１５２ｂの底面に、熱反射層１５５が設けられている。熱反射層１５５は接着樹脂層１５１上に蒸着された金属箔により形成され、その厚みＨ６は例えば数μｍ程度である。
【００７１】
本変形例においても、図２に関して前述したように、断熱空間１５２ｂ内の空気内で熱伝導が生じるとともに、図１０に表した矢印Ｒ１のように輻射が生ずる。熱反射層１５５が設けられることにより、この赤外線Ｒ１は、図１０に表した矢印Ｒ２のように反射され、表面樹脂層１５３に戻るため、使用者の着座後も便座１３０が冷えることなく、快適に使用することができる。
【００７２】
本変形例によれば、使用者が便座１３０に着座したときに感じる冷感をさらに低減することができる。また、使用者が便座１３０に着座した後に、ヒータ１４０の熱を着座面１３０ａへより早く伝達することができる。
【００７３】
以上説明したように、本実施形態によれば、上板（基材）１３２の表面には積層体１５０が一体的に設けられ、その積層体１５０は、着座面１３０ａの下方に断熱層１５２を有する。断熱層１５２は、便座１３０に着座した使用者からの熱移動を抑制することができる。これにより、便座１３０の待機温度が比較的低い温度に設定された場合でも、本実施形態にかかる暖房便座装置１００は、使用者が便座１３０に着座したときに感じる冷感を低減することができる。また、使用者が便座１３０に着座すると、使用者が着座した領域の支持体１５２ａが変化することにより、接着樹脂層１５１と表面樹脂層１５３との間の距離が小さくなる。これによれば、使用者が便座１３０に着座すると、ヒータ１４０の熱は着座面１３０ａへ伝わりやすくなるため、着座面１３０ａの加熱は促進される。すなわち、本実施形態にかかる暖房便座装置１００は、使用者が便座１３０に着座した後に、ヒータ１４０の熱を着座面１３０ａへより早く伝達することができる。
【００７４】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、積層体１５０などが備える各要素の形状、寸法、材質、配置などや支持体１５２ａの設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００７５】
１０ トイレ装置、  １００ 暖房便座装置、  １１０ 本体部、  １２０ 便蓋、  １３０ 便座、  １３０ａ 着座面、  １３１ 底板、  １３２ 上板、  １４０ ヒータ、  １５０ 積層体、  １５１ 接着樹脂層、  １５２ 断熱層、  １５２ａ 支持体、  １５２ｂ 断熱空間、  １５２ｃ 連通部、  １５３、１５３’ 表面樹脂層、  １５４ 加飾層、  １５５ 熱反射層、  ２００ 腰掛便器、  ３００ 臀部
【図１】
2011067513.tif 000003
【図２】
2011067513.tif 000004
【図３】
2011067513.tif 000005
【図４】
2011067513.tif 000006
【図５】
2011067513.tif 000007
【図６】
2011067513.tif 000008
【図７】
2011067513.tif 000009
【図８】
2011067513.tif 000010
【図９】
2011067513.tif 000011
【図１０】
2011067513.tif 000012